(57)【要約】【課題】文字・数字・符号あるいはこれらを混合して組成された広義のコード通信番号を、公衆マルチメディア通信サービスにおける使用者身分識別コードとすること。【解決手段】本発明システムの組成は、広義コードダイヤルアップ機能を擁する広義コードユーザーサイド通信設備と、登録された広義コード通信番号データを保存し、且つ広義コードユーザーサイド通信設備及び広義コード通信番号判定識別モジュールから来た広義コードを識別するための広義コード使用者身分識別データベースと、非広義コードユーザーサイド通信設備からの入力データを受け取って、広義コード使用者身分識別データベースと比較照合し、その内容が受け手側の広義コード通信番号であることを判定識別するための広義コード通信番号判定識別モジュールと、通信接続を行うダイヤルアップ接続モジュールと、を含む。【選択図】図１
2010268422.tif 000002
【特許請求の範囲】
【請求項１】
広義コードによる通信システムであって、主として、
広義コードユーザーサイド通信設備と、広義コード通信番号判定識別モジュールと、広義コード使用者身分識別データベースと、ダイヤルアップ接続モジュールと、を含み、
前記広義コードユーザーサイド通信設備は、ダイヤルアップによって直接広義コードをダイヤルする機能を備え、
前記広義コード通信番号判定識別モジュールは、非広義コードユーザーサイド通信設備で入力されたデータを受け取り、広義コード使用者身分識別データベースと比較照合して、その内容が受け手側の広義コード通信番号であるかどうかを判定識別し、
前記広義コード使用者身分識別データベースは、ユーザーが登録した広義コード通信番号のデータを保存し、且つ広義コードユーザーサイド通信設備及び広義コード通信番号判定識別モジュールから来た広義コードを識別し、
前記ダイヤルアップ接続モジュールは、広義コード使用者身分識別データベースと連結し、通信接続を提供且つ確立することを特徴とする、
広義コードによる通信システム。
【請求項２】
前記広義コード通信番号判定識別モジュールは、音声識別広義コード判定モジュール・映像識別広義コード判定モジュール・文字識別広義コード判定モジュール・メッセージ識別広義コード判定モジュール・二次元バーコード（ＱＲ  ｃｏｄｅ）識別広義コード判定モジュール・無線電波（ＲＦＩＤ）広義コード識別判定モジュール、或いはチップカード（ＩＣ ｃａｒｄ）広義コード識別判定モジュールであることを特徴とする請求項１に記載の広義コードによる通信システム。
【請求項３】
前記広義コードの指す範囲は、文字・数字・符号あるいはこれらを混合して組成された広義コード通信番号を含み、公衆マルチメディア通信サービスの使用者身分識別コードとすることを特徴とする請求項１に記載の広義コードによる通信システム。
【請求項４】
前記広義コード通信番号は、携帯電話番号・市内電話番号・衛星電話番号・ファックス番号・無線呼出しサービス番号などの各種通信番号であることを特徴とする請求項１に記載の広義コードによる通信システム。
【請求項５】
前記非広義コードユーザーサイド通信設備は、広義コード通信番号を音声・文字・メッセージ・図像・二次元バーコード（ＱＲ code）或いはその他のデータ形式で広義コード通信番号判定識別モジュールへ伝送することを特徴とする請求項１に記載の広義コードによる通信システム。
【発明の詳細な説明】
【技術分野】
【０００１】
本発明は、通信サービスシステム、特に文字・数字・符号或いはこれらを混合して組成された広義のコード通信番号を、公衆マルチメディア通信サービスにおける使用者の身分識別コードとし、相互の広義コード通信番号をダイヤルアップすることによって、音声・文字・メッセージ・図像・音楽・マルチメディア或いはその他の通信に応用するものである。
【背景技術】
【０００２】
１８７６年にベルによって電話が発明されて以来、「数字」は電話通信中における使用者身分識別番号の唯一の方式であった。
【０００３】
数字番号を使用する長所は、簡単で有効なことで、しかし欠点は直観的でなく、又多くの意義を負荷することも出来ない点にある。
【０００４】
従来の技術では、一部のキーボード上で、２をABC、３をDEF、４をGHI....で表すことによって、無意味な数字番号を有意義な文字に転換している。
【０００５】
しかし大多数の数字番号は転換した後も有意義な文字にならない。そして、若し英文字を数字番号に転換した場合、通信システムと相容れない数字番号に出会う可能性がある。
【０００６】
また、漢字或いは英文字以外の文字を基礎とする文字では、少数の擬声文字で表すほかなく、単純な「数字」番号は有意義な負荷体とはならない。
【０００７】
これによって分かるように、上述従来の方式には尚幾多の欠点があり、よい設計とは言いがたく、改良が待たれていた。
【０００８】
本発明発明者は、上述従来の方式に派生する各項の欠点に鑑み、極力新規改善を試み、且つ長年の苦心研鑽の末、ついに本件広義コードによる通信システムを完成した。
【発明の概要】
【発明が解決しようとする課題】
【０００９】
本発明の目的は、文字・数字・符号あるいはこれらを混合して組成された広義のコード通信番号を、公衆マルチメディア通信サービスにおける使用者身分識別コードとすることにある。
【００１０】
本発明の次の目的は、ユーザーが有意義な文字・数字・符号或いはこれらを混合して組成されたコードを選択して、電話通信の使用者身分識別コードとすることにある。
【００１１】
本発明のもう一つの目的は、広義コードユーザーサイドの通信設備を提供し、ユーザーが前記広義コードユーザーサイドの通信設備によって、相互に広義コード通信番号をダイヤルし、音声・文字・メッセージ・図像・音楽・マルチメディア或いはその他の通信に応用できるようにすることにある。
【００１２】
本発明の更にもう一つの目的は、従来のユーザーサイド通信設備の使用者に対し、広義コード通信番号のダイヤルアップメカニズムを提供し、音声・文字・メッセージ・図像・音楽・マルチメディア或いはその他の通信に応用できるようにすることにある。
【課題を解決するための手段】
【００１３】
上記発明の目的を達成できる広義コードによる通信システムは、
（１）広義コードのユーザーサイド通信設備；
（２）広義コード使用者の身分識別データベース；
（３）広義コード通信番号の判定識別モジュール；
（４）ダイヤルアップ接続モジュール；
を含み、ユーザーは、選定した広義コード通信番号を、広義コード使用者身分識別データベースに登録すると、その広義コード通信番号を擁することができる。ユーザーは、広義コードユーザーサイド通信設備によって広義コード通信番号をダイヤルアップし、通信を行うことができ、又従来のユーザーサイド通信設備を使用して、広義コード通信番号を音声・映像・メッセージ・二次元バーコード（QR code）などの方式で本発明システムへ伝送することもできる。
システム中の広義コード通信番号判定識別モジュールによって伝送された広義コード通信番号を判定識別し、ダイヤルアップ接続モジュールによって双方の通信連結を行う。
【発明の効果】
【００１４】
本発明発明に係る広義コード通信システムは、下記のような長所がある、
１．ユーザーは数字の制限を受けることなく、任意の文字・数字・符号或いはその混合によって組成された広義コード通信番号を取得し、公衆マルチメディア通信サービスの使用者身分識別用とすることができる。
２．一般機構や会社が名称を広義コード通信番号とする場合、ユーザーは、      別途に一組の電話番号を記憶する必要がなく、コミュニケーションの効      率を効果的に増進することができる。
３．商業機構では広義コードを広告販促の道具として使用することができる。
【００１５】
上述詳細な説明は、本発明発明の実行可能な実施例の具体的説明であり、但し前記実施例は、本発明発明の特許請求範囲を制限するものではなく、凡そ本発明発明の技芸精神を逸脱せずになされる等価実施或いは変更は、全て本発明の特許請求範囲に含まれるものとする。
【００１６】
以上を総合して、本発明は技術思想の上で確かに創造的であるばかりでなく、従来の物品に比べ、更に上述多項目の効能が増進され、既に新規性及び進歩性の法定発明特許要件を十分満たすものとして、ここに請求する次第である。
【図面の簡単な説明】
【００１７】
【図１】本発明発明に係る広義コードによる通信システムの構築図である。
【図２】本発明発明に係る広義コードによる通信システムの広義コード登録略図である。
【図３】本発明に係る広義コードによる通信システムの広義コードユーザーサイド通信設備の通信略図である。
【図４】本発明に係る広義コードによる通信システムの非広義コードユーザーサイド通信設備の通信略図である。
【発明を実施するための形態】
【００１８】
［実施例］
図１は、本発明発明に係る広義コードによる通信システムの構築図であり、主として、
広義コードユーザーサイド通信設備１１と、広義コード通信番号判定識別モジュール１３と、広義コード使用者身分識別データベース１２と、ダイヤルアップ接続モジュール１４と、を含む。
【００１９】
前記広義コードユーザーサイド通信設備１１は、広義コードダイヤルアップ機能を有する通信設備であり、広義コード通信番号の範囲は、携帯電話番号・市内電話番号・衛星電話番号・ファックス番号・無線呼出しサービス番号などの各種通信番号を含む。
【００２０】
前記広義コード通信番号判定識別モジュール１３は、非広義コードユーザーサイド通信設備１５によって入力された広義コード通信番号データを受け入れ、且つ広義コード使用者身分識別データベース１２と比較照合し、その内容が受け手の広義コード通信番号であることを判定識別する。
【００２１】
前記モジュールは、下記各種識別モジュールの一つ又は複数の組合せであってよく、音声識別広義コード判定モジュール；映像識別広義コード判定モジュール；文字識別広義コード判定モジュール；メッセージ識別広義コード判定モジュール；二次元バーコード（QR code）識別広義コード判定モジュール；無線電波（RFID）広義コード識別判定モジュール；或いはチップカード（IC card）広義コード識別判定モジュールなど、を含む。
【００２２】
前記広義コード使用者身分識別データベース１２は、ユーザーが登録した広義コード通信番号のデータを保存し、且つ広義コードユーザーサイド通信設備１１及び広義コード通信番号判定識別モジュール１３から来た広義コードを識別し、ダイヤルアップ接続モジュール１４によって通信を行う。
【００２３】
前記ダイヤルアップ接続モジュール１４は、広義コード使用者身分識別データベースと連結して、通信接続を提供する。
【００２４】
図２は、本発明発明に係る広義コードによる通信システムにおける広義コード登録略図であり、ユーザーがどのようにして申請、登録及び広義コード通信番号を取得するかを説明したものである。
【００２５】
広義コードの使用者２１は、現行市内電話番号或いは携帯電話番号の申請手順に従い、選定した広義コード通信番号を本発明システムの広義コード使用者身分識別データベース１２に登録する。
本発明のシステムは、この広義コードが二重登録されていないことを確認すると、ユーザーは直ちにこの広義コードを自分の電話番号とすることができる。
例えば、マクドナルドは現行市内電話番号或いは携帯電話番号の申請手順に従い、「マクドナルド（登録商標）」を一般顧客の無料電話として登録し、「I'm loving it」を広告宣伝専用として登録し、「マクドナルド社」を企業の代表電話として登録することができる。
【００２６】
図３は、本発明発明に係る広義コードによる通信システムの広義コードユーザーサイド通信設備の略図であり、広義コードユーザーサイド通信設備１１は、広義コード携帯電話・広義コード電話機のように、通話ダイヤルアップ区から直接広義コードをダイヤルする機能を備えている。広義コードユーザーサイド通信設備１１を擁する広義コードの使用者２１は、直接通話対象の広義コードの受け手側２２の広義コード通信番号をダイヤルすることができる。
【００２７】
広義コードユーザーサイド通信設備１１は、先ずこの広義コード通信番号を本発明システムへ発送し、システムのダイヤルアップモジュール１４が広義コードの使用者２１及び広義コードの受け手側２２の間に通信連結を行い、双方で音声・文字・メッセージ・図像・音楽・マルチメディア或いはその他の通信を行うことができる。例えば、広義コード携帯電話を有するＣさんは、広義コード携帯電話を使って直接「I'm loving it」にダイヤルして、マクドナルドの最新特恵サービス活動の内容を聞き取ることができる。
【００２８】
図４は、本発明発明に係る広義コードによる通信システムの非広義コードユーザーサイド通信設備の通信略図である、非広義コードの使用者２３は、非広義コードユーザーの通信設備１５によって、広義コード通信番号を、音声・文字・メッセージ・図像・二次元バーコード（QR code）或いはその他のデータ形式で本発明システムの広義コード通信システム１の広義コード通信番号判定識別モジュールへ送る。
【００２９】
システムの広義コード通信番号判定識別モジュール１３は、非広義コードの使用者２３が入力したデータを受け取り、広義コードユーザーの身分識別データベース１２と比較照合し、その内容が受け手側の広義コード通信番号であることを判定識別する。次に、システムのダイヤルアップモジュール１４によって、非広義コードの使用者２３及び広義コードの受けて側２２の間に通信連結を行うことによって、双方で音声・文字・メッセージ・図像・音楽・マルチメディア或いはその他通信を行う。例えば、一般市内電話の使用者Ｌさんは、音声入力の方式で、広義コード「マクドナルド」を本発明のシステムへ伝送し、システムは使用者の音声入力を受け取り、その広義コードが「マクドナルド」であることを判定識別すると、ダイヤルアップ接続モジュールがLさん及びマクドナルドの一般顧客に対して無料電話で通信連結を行う。
【符号の説明】
【００３０】
１    広義コードによる通信システム
１１  広義コードユーザーサイドの通信設備
１２  広義コード使用者の身分識別データベース
１３  広義コード通信番号判定識別モジュール
１４  ダイヤルアップ接続モジュール
１５  非広義コードユーザーサイド通信設備
２１  広義コードの使用者
２２  広義コードの受け手側
２３  非広義コードの使用者
【図１】
2010268422.tif 000003
【図２】
2010268422.tif 000004
【図３】
2010268422.tif 000005
【図４】
2010268422.tif 000006